(57)【要約】【課題】保形性を有する注出筒に適用させることができ、しかも、その着脱が容易な再利用栓を備える薄肉注出容器を提供する。【解決手段】本発明の薄肉容器１は、容器本体２の一部としてその胴部２ａから突出して当該胴部２ａの内側に形成された内部空間Ｒに通じる通路Ｐを形成する注出筒２ｂを有し、当該注出筒２ｂの先端開口２ｃを封止する栓体３が破断予定線４を介して分離可能に一体に連結されてなり、栓体３は、注出筒２ｂの先端外周を取り囲む周壁５ｂを有して当該注出筒２ｂの先端開口２ｃに被さる再利用栓５を備え、この再利用栓５の周壁５ｂに第１突片６が設けられ、容器本体２には、第１突片６を着脱可能に係止する第２突片１０が設けられている。【選択図】図３
2010105701.tif 000002
【特許請求の範囲】
【請求項１】
容器本体の一部として当該容器本体の胴部から突出する注出筒を有し、当該注出筒の先端開口を封止する栓体が破断予定線を介して分離可能に一体に連結されてなる薄肉注出容器であって、
栓体は、注出筒の先端外周を取り囲む周壁を有して当該注出筒の先端開口に被さる再利用栓を備え、この再利用栓の周壁に第１の突片が設けられ、
容器本体には、当該第１の突片を着脱可能に係止する第２の突片が設けられていることを特徴とする薄肉注出容器。
【請求項２】
請求項１において、容器本体に、この容器本体を側面から見たときの当該容器本体の稜線に沿って補強部を延在させ、当該補強部のうちの、注出筒の直近に、第２の突片を備えたことを特徴とする薄肉注出容器。
【請求項３】
請求項１又は２において、第２の突片に、栓体を分離する際に用いる補助把手部を備えることを特徴とする薄肉注出容器。
【発明の詳細な説明】
【技術分野】
【０００１】
本発明は、容器本体の胴部から突出する注出筒に破断予定線を介して栓体を設け、当該栓体を分離することで注出筒の先端開口からの内容物を注出可能とする薄肉注出容器であって、その先端開口を分離した栓体を用いて閉じるための技術に関するものである。
【背景技術】
【０００２】
本願出願人は既に、注出筒から分離した栓体を利用して当該注出筒の先端開口を封止するものとして、栓体に係合片を設け、この栓体を再利用栓として用いることで、当該栓体及び係合片で注出筒の先端をクリップするものを提案済みである（例えば、特許文献１参照。）
【特許文献１】特開２００５−３１３９８６号公報
【発明の開示】
【発明が解決しようとする課題】
【０００３】
しかしながら、こうした従来の再利用栓は、重ね合わせた合成樹脂製のフィルム（シート）を押し開くことで注出筒を形成する構成の場合には有効であるが、スパウトのように注出筒が予め形成されている場合には、必ずしも注出筒にクリップできないときがあり、また、かかる構成では、注出筒や係合片を折り曲げることでクリップしなければならないという煩雑さがあった。
【０００４】
本発明は、こうした事実認識に基づいてなされたものであり、その目的とするところは、保形性を有する注出筒に適用させることができ、しかも、その着脱が容易な再利用栓を備える薄肉注出容器を提供することにある。
【課題を解決するための手段】
【０００５】
本発明である、薄肉注出容器は、容器本体の一部として当該容器本体の胴部から突出する注出筒を有し、当該注出筒の先端開口を封止する栓体が破断予定線を介して分離可能に一体に連結されてなる薄肉注出容器であって、
栓体は、注出筒の先端外周を取り囲む周壁を有して当該注出筒の先端開口に被さる再利用栓を備え、この再利用栓の周壁に第１の突片が設けられ、
容器本体には、当該第１の突片を着脱可能に係止する第２の突片が設けられていることを特徴とするものである。
【０００６】
本発明において、容器本体は、合成樹脂製のフィルムからなるパウチ容器は勿論、薄肉のブロー成形容器も含む。
【０００７】
本発明において、容器本体に、この容器本体を側面から見たときの当該容器本体の稜線に沿って補強部を延在させ、当該補強部のうちの、注出筒の直近に、第２の突片を設けることができる。
【０００８】
また、第２の突片には、栓体を分離する際に用いる補助把手部を設けることができる。更に、補助把手部には、指掛け用の開口を形成することができる。
【発明の効果】
【０００９】
本発明によれば、注出筒から分離可能な栓体に再利用栓を設け、この再利用栓を注出筒の先端開口に被せるに際し、当該再利用栓に設けた第１の突片を容器本体に設けた第２の突片に着脱可能に係止させることから、注出筒がスパウトのように予め保形性を有するものであっても、当該注出筒の先端開口を閉じることができる。
【００１０】
また、再利用栓設けた第１の突片は、容器本体に設けた第２の突片に着脱可能に係止されることから、リキャップの際には、再利用栓を被せるだけで、当該再利用栓に設けた第１の突片を容器本体に設けた第２の突片に係止させることができ、また、注出の際には、栓体を引き上げるだけで、当該再利用栓に設けた第１の突片を容器本体に設けた第２の突片から外すことができる。このため、本発明によれば、再利用栓を容易に着脱させることができる。
【００１１】
従って、本発明によれば、予め保形性を有する注出筒に適用させることができ、しかも、その着脱が容易な再利用栓を備える薄肉注出容器を提供することができる。
【００１２】
加えて、本発明によれば、栓体に再利用栓を設けたことで、当該再利用栓を把手部として把持できることから、注出筒からの分離に有効である。
【００１３】
また、本発明では、容器本体に、この容器本体を側面から見たときの当該容器本体の稜線に沿って補強部を延在させれば、容器本体が潰れ難く、保形性が高まるため、栓体の分離は勿論、再利用栓の着脱が更に容易になる。特に、当該補強部に第２の突片を設ければ、再利用栓の着脱が一層容易になる。
【００１４】
また、第２の突片に、栓体を分離するための補助把手部を設ければ、注出筒からの分離が一層容易になる。
【発明を実施するための最良の形態】
【００１５】
図１は、本発明の一形態であるブロー成形スタンディング薄肉容器（以下、「薄肉容器」という）１を示す側面図である。また、図２(a),(b)はそれぞれ、同形態の平面図及び同形態に係る栓体３周辺を図１の矢印Ｘから示す要部拡大図である。更に、図３は、再利用栓５の着脱動作を説明する側面図である。
【００１６】
符号２は、薄肉の合成樹脂からなる容器本体２である。容器本体２は、その一部として胴部２ａを有し、この胴部２ａの内側に内容物を充填する内部空間Ｒが形成されている。
【００１７】
符号２ｂは、胴部２ａから突出して当該胴部２aの内側に形成された内部空間に通じる通路Ｐを形成する注出筒である。
【００１８】
符号３は、注出筒２ｂに形成された通路Ｐを封止する栓体である。栓体３は、破断予定線４を介して分離可能に一体に連結されている。破断予定線４は、例えば、注出筒２ｂ及び栓体３よりも薄肉に構成することで、外力を付加することで切断することができる。これにより、注出筒２ｂから栓体３を分離させると、図３に示すように、注出筒２ｂの先端に、通路を介して内部空間Ｒを外界に通じさせる開口（以下、「先端開口」という）２ｃが形成される。
【００１９】
符号５は、先端開口２ｃに被さる再利用栓である。再利用栓５は、先端開口２ｃに合さる天壁５ａと、この天壁５ａの外縁から垂下して注出筒２ｂの先端外周を取り囲む周壁５ｂとを有し、天壁５ａ及び周壁５ｂで円形の凹部ｎを形作る。
【００２０】
符号６は、周壁５ｂに一体に設けられた第１の突片（以下、「第１突片」という）である。本形態に係る第１突片６は、図１に示すように、周壁５ｂを取り囲む環状のフランジをなし、基部７を介して栓体の先端に一体に繋がる。
【００２１】
また、符号８は、図１に示すように、容器本体２に、この容器本体２を側面から見たときの当該容器本体２の軸線Ｏに沿った稜線に沿って連続的に延在させた補強部である。本形態に係る補強部８は、Ｙ−Ｙ断面に示すように、その内側に空気層８ｒが形成されたチューブ状のエアフレーム８ａと、エアフレーム８ａを容器本体２に連結する薄肉の連結部８ｂとで構成されている。
【００２２】
補強部８を設ければ、薄肉の胴部２ａに対して一定の剛性（強度）が得られることで、当該胴部２ａを把持したときに変形し難くなる。このため、補強部８を設けることで、内容物が注ぎ易くなる。また、補強部８は、栓体３を分離する際の補助把手部としても機能させることができる。
【００２３】
なお、エアフレーム８ａは、円形断面に限定されることなく、四角形断面、三角形断面（これら頂点又は辺を連結部８ｂに対して連結可能）等の様々な断面形状のものを適用させることができる。
【００２４】
符号９は、補強部８のうちの、注出筒２ｂの直近に設けられた補助把手部である。上述の如く、補強部８は、当該補強部８そのものを補助把手部として機能させることができるが、本形態では、補助把手部９を独立させている。本形態に係る補助把手部９は、エアフレーム８ａで取り囲まれた開口Ａを有し、栓体３に設けられた再利用栓５と共に、当該栓体３を分離するために把持される。
【００２５】
符号１０は、補助把手部９に設けられた第２の突片（以下、「第２突片」という）である。第２突片１０は、注出筒２ｂから栓体３と共に分離させた再利用栓５の第１突片６を着脱可能に係止する。
【００２６】
栓体３を分離して開封後、リキャップするときには、図３に示すように、再利用栓５の凹部ｎを先端開口２ｃに向ければ、天壁５ａが上側になる。このため、使用者は、板状の接触面積の広い天壁５ａを介して再利用栓５を押し込むことで、当該再利用栓５の第１突片６が容器本体２側の第２突片１０を下向きに乗り越えることで、先端開口２ｃに被せることができる。
【００２７】
即ち、本形態によれば、注出筒２ｂから分離した栓体３を用いることで先端開口２ｃを閉じることができる。
【００２８】
再利用栓５でキャップした後、再度、内容物の注出を行うときには、栓体３、再利用栓５の周壁５ｂ又は周壁５ｂに繋がる第１突片６を把手部として持って再利用栓５を引き上げれば、当該再利用栓６の第１突片６が容器本体２側の第２突片１０を上向きに乗り越えることで、先端開口２ｃから再利用栓５を引き抜くことができる。これにより、内容物の注出が可能になる。
【００２９】
即ち、本形態によれば、注出筒２ｂから分離した栓体３を用いることで先端開口２ｃを繰り返し、封止・開放させることができる。
【００３０】
本発明によれば、注出筒２ｂから分離可能な栓体３に再利用栓５を設け、この再利用栓５を先端開口２ｃに被せるに際し、当該再利用栓５に設けた第１突片６を容器本体２に設けた第２突片１０に着脱可能に係止させることから、注出筒２ｂがスパウトのように予め保形性を有するものであっても、当該注出筒２ｂの先端開口２ｃを閉じることができる。
【００３１】
また、再利用栓５に設けた第１突片６は、容器本体２に設けた第２突片１０に着脱可能に係止されることになるため、リキャップの際には、再利用栓５を被せるだけで、第１突片６を第２突片１０に係止させることができ、また、注出の際には、栓体３を引き上げるだけで、第１突片６を第２突片１０から外すことができる。このため、本発明によれば、再利用栓５を容易に着脱させることができる。
【００３２】
従って、本発明によれば、予め保形性を有する注出筒２ｂに適用させることができ、しかも、その着脱が容易な再利用栓５を備える薄肉注出容器を提供することができる。
【００３３】
加えて、本発明によれば、栓体３に再利用栓５を設けたことで、当該再利用栓５を把手部として把持できることから、注出筒２ｂからの分離に有効である。
【００３４】
更に、本形態の如く、容器本体２に、この容器本体２を側面から見たときの当該容器本体２の稜線に沿って補強部８を延在させれば、容器本体２が潰れ難く、保形性が高まるため、栓体３の分離は勿論、再利用栓５の着脱が更に容易になる。特に、補強部８に第２突片１０を設ければ、再利用栓５の着脱が一層容易になる。
【００３５】
更に、本形態では、エアフレーム８ａの間に薄肉の連結部８ｂを介在させることで、補強部８を断続的に延在させている。更に、胴部２ａには、連結部８ｂと整列する窪み２ｄが形成される。これにより、本形態では、エアフレーム８ａの相互間に介在する連結部８ｂ及び窪み２ｄを基点に折り畳んで廃棄することができる。
【００３６】
なお、本形態に係る容器本体２の胴部２ａは、その横断面形状が、図２(a)に示すように、短手側となる２つの表面と、長手側となる２つの表面とを有する扁平な形状をし、補強部８は、同図に示すように、短手側表面に形成されている。但し、発明に従えば、容器本体２の横断面形状は、円形、正多角形等、様々な形状を採用できる。
【００３７】
また、図１の破線で示す符号Ｓは、内容物を充填後の充填口をシールしたシール面である。内容物を充填するときには、容器本体２の下端２ｅから充填口が突出するため、容器本体２を上下逆さまにした状態で内容物の充填を行った後、当該充填口に対してホットシール等を行うことでシール部Ｓを形成する。シール部Ｓは、図１に示すように、容器本体２の下端２ｅに押し込むことで、下端２ｅを接地部として薄肉容器１を起立させることができる。
【００３８】
更に図４は、本発明の第二の形態である、上記の薄肉容器１の変形例を示す側面図である。なお、以下の説明において、他の形態と同一部分は、同一符号をもって、その説明を省略する。
【００３９】
本形態では、補強部８に更に注出用把手部１１を設けている。この場合、内容物が注ぎ易くなる。また、注出用把手部１１は、補助把手部９を省略することで、注出用把手部１１を補助把手として機能させることもできる。
【００４０】
上述したところは、本発明の一形態を示したものに過ぎず、薄肉注出容器の用途に応じて様々に設計変更することができる。例えば、本形態では、第１突片６を全周に亘って形成された環状のフランジとして構成したが、本発明に従えば、第１突片６としては、周方向に間欠的に形成したもの等を採用できる。即ち、本発明に従えば、第１突片６は、周壁５ｂから突出する少なくとも１つの突片であればよい。
【００４１】
本形態では、再利用栓５を栓体３に対し、軸線Ｏに沿って並行に起立させているが、図１の二点鎖線で示すように、この軸線Ｏに対して傾くように（更に好適には、軸線Ｏを挟んで補助把手部９と対向する位置に）配置すれば、注出筒２ｂに対して分離させ易くすることができる。
【００４２】
補強部８は、連結部８ｂを省略することで、エアフレーム８ａそのものを補強部として構成することができる。エアフレーム８ａは、中実のフレームに置き換えることもできる。更に、エアフレーム８ａは、断続的なものに限らず、容器本体２を側面から見たときの当該容器本体２の稜線に沿って連続的に延在させたものでもよい。加えて、補強部８は、フレームと連結部とで構成することなく、単なる肉厚な部位として構成することもできる。
【００４３】
また、容器本体２としては、薄肉のブロー成形容器ではなく、合成樹脂製のフィルムからなるパウチ容器を採用することもできる。なお、パウチ容器の場合には、スパウト付きであるか否かは問わない。加えて、各形態に採用された各構成はそれぞれ、互いに適宜組み合わせることができる。
【産業上の利用可能性】
【００４４】
シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００４５】
【図１】本発明の第一の形態であるブロー成形スタンディング薄肉容器を示す側面図である。
【図２】(a),(b)はそれぞれ、同形態の平面図及び同形態に係る栓体周辺を図１の矢印Ｘから示す要部拡大図である。
【図３】同形態に係る再利用栓の着脱動作を説明する側面図である。
【図４】本発明の第二の形態である、他の薄肉容器を示す側面図である。
【符号の説明】
【００４６】
１  ブロー成形スタンディング薄肉容器
２  容器本体
2a  胴部
2b  注出筒
2c  注出栓の先端開口
３  栓体
４  破断予定線
５  再利用栓
5a  再利用栓天壁
5b  再利用栓周壁
６  第１の突片
７  基部
８  補強部
8a  エアフレーム
8b  薄肉の連結部
９  補助把手部
10  第２の突片
11  注出用把手部
【図１】
2010105701.tif 000003
【図２】
2010105701.tif 000004
【図３】
2010105701.tif 000005
【図４】
2010105701.tif 000006